(57)【特許請求の範囲】
【請求項１】
容器に取り付けられるキャップ本体と、キャップ本体に形成された注出口と、注出口を開閉する蓋とを有し、
蓋が、ヒンジ部を介して、回動自在にキャップ本体に連結されているキャップであって、
蓋の外周部で且つ径方向においてヒンジ部とは反対側の箇所に、径方向外側へ突出した鍔部が形成され、
蓋を閉じた状態において、鍔部の下面の周方向中央部における径方向外側部に、平坦部が形成され、
蓋の天面に、蓋を押して閉じる際の目印となる窪み部が形成され、
窪み部は、径方向におけるヒンジ部と鍔部との間で、且つ、キャップの軸心と鍔部の平坦部との間に形成されていることを特徴とするキャップ。
【請求項２】
平坦部は蓋の周方向に延びた平坦面であり、
鍔部の下面に、平坦面の周方向における両端部から鍔部の周方向における両端部に向かって下方へ弧状に傾斜した第１の傾斜面が形成されていることを特徴とする請求項１記載のキャップ。
【請求項３】
平坦面の径方向内側部には、径方向内側に向かって下方へ傾斜する第２の傾斜面が形成されていることを特徴とする請求項１又は請求項２記載のキャップ。
【発明の詳細な説明】
【技術分野】
【０００１】
本発明は、容器に取り付けられるキャップに関する。
【背景技術】
【０００２】
従来、この種のキャップとしては、例えば図５，図６に示すように、容器１０１に取り付けられるキャップ本体１０２と、キャップ本体１０２に形成された注出口と、注出口を開閉する蓋１０３とを有するものがある。蓋１０３は、ヒンジ部（図示省略）を介して、回動自在にキャップ本体１０２に設けられている。
【０００３】
蓋１０３の外周部で且つ径方向Ｄにおいてヒンジ部とは反対側の箇所には、径方向Ｄの外側へ突出した鍔部１０４が形成されている。蓋１０３を閉じた状態において、鍔部１０４の下面１０５は、周方向Ｃの中央部における径方向Ｄの全幅において、径方向Ｄの内側に向かって漸次下方に傾斜して延びると共に、周方向Ｃの中心Ｇから両側に向かって下方へ弧状に延びている。
【０００４】
これによると、蓋１０３を開ける際、親指１０７の腹部１０８に鍔部１０４が強く食い込むことはなく、親指１０７の腹部１０８が鍔部１０４の下面１０５に円滑に馴染むため、親指１０７に痛みを感じることは防止される。
【０００５】
尚、上記のようなキャップは例えば下記特許文献１に記載されている。
【先行技術文献】
【特許文献】
【０００６】
【特許文献１】特開２０１２−２０７５６
【発明の概要】
【発明が解決しようとする課題】
【０００７】
しかしながら上記の従来形式では、図５に示すように、鍔部１０４の下面１０５は、径方向Ｄの全幅において、径方向Ｄの内側に向かって漸次下方に傾斜して延びているため、親指１０７で鍔部１０４を上向きに押し上げて蓋１０３を開放する際、図７に示すように、上向きの力Ｆは、傾斜した下面１０５に垂直な第１の分力ｆ１と、下面１０５に平行な第２の分力ｆ２とに分けられる。このうち、第２の分力ｆ２は蓋１０３の開放にほとんど寄与せず、第２の分力ｆ２によって親指１０７が不用意に斜め上方へずれて鍔部１０４から離脱し易くなり、これを防止するために蓋１０３を開く際に余分な力が必要になるといった問題がある。
【０００８】
また、図６に示すように、鍔部１０４の下面１０５は周方向Ｃの中心Ｇから両側に向かって下方へ円弧状に傾斜しているため、親指１０７の位置が周方向Ｃにおける鍔部１０４の中心Ｇから周方向Ｃへずれた場合、上向きの力Ｆは、円弧状に傾斜した下面１０５に垂直な第１の分力ｆ３と、下面１０５に平行な周方向Ｃの第２の分力ｆ４とに分けられる。このうち、第２の分力ｆ４は蓋１０３の開放にほとんど寄与しないため、蓋１０３を開く際に余分な力が必要になる。
【０００９】
本発明は、蓋を開く際に要する力を低減することができるキャップを提供することを目的とする。
【課題を解決するための手段】
【００１０】
上記目的を達成するために、本第１発明は、容器に取り付けられるキャップ本体と、キャップ本体に形成された注出口と、注出口を開閉する蓋とを有し、
蓋が、ヒンジ部を介して、回動自在にキャップ本体に連結されているキャップであって、
蓋の外周部で且つ径方向においてヒンジ部とは反対側の箇所に、径方向外側へ突出した鍔部が形成され、
蓋を閉じた状態において、鍔部の下面の周方向中央部における径方向外側部に、平坦部が形成され、
蓋の天面に、蓋を押して閉じる際の目印となる窪み部が形成され、
窪み部は、径方向におけるヒンジ部と鍔部との間で、且つ、キャップの軸心と鍔部の平坦部との間に形成されているものである。
【００１１】
これによると、蓋を開く場合、例えば指で鍔部の下面の平坦部を上向きに押し上げる。この際、鍔部の下面の平坦部は傾斜していないので、上向きの力の全て（又は大部分）が平坦部に垂直に作用し、平坦部に平行な分力はほとんど発生しない。これにより、指が不用意に鍔部から離脱するのを防止することができ、蓋を開く際に余分な力を必要とせず、蓋を開くのに要する力を低減することができる。
また、蓋を閉じる際、窪み部を目印にして、指で蓋の最適な箇所を押して蓋を閉じることができる。この際、指先で窪み部を押すことにより、指先が窪み部に入り込むため、指先が蓋の天面を滑って蓋を押す位置がずれてしまうといった不具合を防止することができ、蓋を確実に押して閉じることができる。
【００１２】
本第２発明におけるキャップは、平坦部は蓋の周方向に延びた平坦面であり、
鍔部の下面に、平坦面の周方向における両端部から鍔部の周方向における両端部に向かって下方へ弧状に傾斜した第１の傾斜面が形成されているものである。
【００１３】
これによると、平坦部は蓋の周方向に延びた平坦面であるため、蓋を開く場合、例えば指の位置が蓋の周方向において若干ずれても、平坦面の形成範囲内を上向きに押し上げれば、上向きの力の全て（又は大部分）が平坦面に垂直に作用し、平坦面に平行な分力はほとんど発生しない。これにより、指の位置が蓋の周方向において若干ずれても、蓋を開く際に余分な力を必要とせず、蓋を開く際に要する力を低減することができる。
【００１４】
本第３発明におけるキャップは、平坦面の径方向内側部には、径方向内側に向かって下方へ傾斜する第２の傾斜面が形成されているものである。
これによると、第２の傾斜面を形成することにより、鍔部の平坦面の径方向内側部と蓋の外周面とのコーナー部分に応力が集中するのを防止することができる。
【発明の効果】
【００１７】
以上のように本発明によると、指が不用意に鍔部から離脱するのを防止することができ、蓋を開く際に余分な力を必要とせず、蓋を開くのに要する力を低減することができる。
【図面の簡単な説明】
【００１８】
【図１】本発明の実施の形態におけるキャップの一部切欠き側面図である。
【図２】同、キャップの正面図である。
【図３】同、キャップの平面図である。
【図４】同、キャップの蓋の鍔部の拡大断面図である。
【図５】従来のキャップの断面図である。
【図６】同、キャップの蓋の正面図である。
【図７】同、キャップの蓋の鍔部の拡大断面図である。
【発明を実施するための形態】
【００１９】
以下、本発明における実施の形態を、図面を参照して説明する。
図１〜図４に示すように、１は容器２に取付けられたキャップである。キャップ１は、容器２の口部３に取付けられるキャップ本体４と、ヒンジ部５（連結部の一例）を介してキャップ本体４に回動自在に連結された蓋６とを有している。
【００２０】
キャップ本体４は、円筒状の注出筒部８と、注出筒部８の付け根の外側周囲を取り囲む円形の環状部９とを有している。注出筒部８の先端部には注出口１０が形成されている。環状部９の外周には、係合凹部１１（一方の係合部の一例）が全周にわたり形成されている。
【００２１】
蓋６は、注出口１０を開閉するものであり、円形の蓋板部１４と、蓋板部１４の周縁に設けられた周壁部１５と、周壁部１５の内側に設けられた円筒状のシール筒部１６とを有している。また、キャップ１の軸心方向Ａを上下方向とすると、周壁部１５の内周面下部には係合凸部１７（他方の係合部の一例）が全周にわたり形成されている。尚、図１の実線で示すように、蓋６を閉じた状態では、シール筒部１６が注出筒部８内に入り込み、シール筒部１６の外周面が注出筒部８の内周面に圧接し、係合凸部１７が係合凹部１１に係合する。  
【００２２】
蓋６の周壁部１５の上部外周面で且つ径方向Ｄにおいてヒンジ部５とは反対側の箇所に、径方向外側へ突出した鍔部２０が形成されている。鍔部２０は、図３に示すように、平面視において円弧状に形成されている。図１の実線で示すように、蓋６を閉じた状態において、鍔部２０は、キャップ１の軸心２８に直交する水平面に対して、所定の傾斜角度Ｂで傾斜している。尚、所定の傾斜角度Ｂは例えば２０°に設定されている。また、図３に示すように、キャップ１の軸心２８を中心とし、且つ、周方向Ｃにおける鍔部２０の一端から他端までの角度Ｅは９０°〜１８０°の範囲に設定されている。
【００２３】
また、蓋６を閉じた状態において、鍔部２０の下面の周方向Ｃの中央部における径方向Ｄの外側部には、平坦面２２（平坦部の一例）が形成されている。平坦面２２は、蓋６の周方向Ｃに延びており、蓋６を閉じた状態において、径方向Ｄと周方向Ｃとに拡がる水平面である。
【００２４】
鍔部２０の下面には、平坦面２２の周方向Ｃにおける両端部２２ａ，２２ｂから鍔部２０の周方向Ｃにおける両端部２０ａ，２０ｂに向かって下方へ弧状に傾斜した第１の傾斜面２４が形成されている。
【００２５】
また、平坦面２２の径方向Ｄの内側部には、径方向Ｄの内側に向かって下方へ傾斜した円弧状の第２の傾斜面２５が形成されている。
また、蓋６の天面には、蓋６を指で押して閉じる際の目印となる窪み部２７が形成されている。窪み部２７は、蓋６の天面から内側へ円弧状に窪んでおり、径方向Ｄにおけるヒンジ部５と鍔部２０との間で、且つ、キャップ１の軸心２８に対して鍔部２０寄りの位置に形成されている。
【００２６】
以下、上記構成における作用を説明する。
図１の実線で示すように、蓋６が閉じた状態では、シール筒部１６の外周面が注出筒部８の内周面に圧接し、係合凸部１７が係合凹部１１に係合している。これにより、注出口１０が蓋６で閉じられ、蓋６が不用意に開くことは防止される。
【００２７】
また、蓋６を開く場合、図４に示すように、例えば親指３１で鍔部２０の平坦面２２を上向きに押し上げる。この際、平坦面２２は、傾斜しておらず、水平であるため、上向きの力Ｆの全て（又は大部分）が平坦面２２に垂直に作用し、平坦面２２に平行な分力（水平分力）はほとんど発生しない。これにより、親指３１が不用意に鍔部２０から離脱するのを防止することができ、蓋６を開く際に余分な力を必要とせず、蓋６を開くのに要する力を低減することができる。
【００２８】
また、図２，図３に示すように、平坦面２２は周方向Ｃにも延びているため、親指３１の位置が周方向Ｃにおいて若干ずれても、平坦面２２の形成範囲Ｗ内を上向きに押し上げれば、上向きの力Ｆの全て（又は大部分）が平坦面２２に垂直に作用し、平坦面２２に平行な周方向Ｃの分力はほとんど発生しない。これにより、親指３１の位置が周方向Ｃにおいて若干ずれても、蓋６を開く際に余分な力を必要とせず、蓋６を開く際に要する力を低減することができる。
【００２９】
また、円弧状の第２の傾斜面２５を形成することにより、鍔部２０の平坦面２２の径方向Ｄの内側部と蓋６の外周面とのコーナー部分に応力が集中するのを防止することができる。
【００３０】
また、蓋６を閉じる際、窪み部２７を目印にして、人差し指等の指先で蓋６の最適な箇所（すらわち窪み部２７の形成箇所）を押して蓋６を閉じることができる。この際、指先で窪み部２７を押すことにより、指先が窪み部２７に入り込むため、指先が蓋６の天面を滑って蓋６を押す位置がずれてしまうといった不具合を防止することができ、蓋６を確実に押して閉じることができる。
【符号の説明】
【００３１】
１      キャップ
２      容器
４      キャップ本体
５      ヒンジ部（連結部）
６      蓋
１０    注出口
２０    鍔部
２２    平坦面（平坦部）
２４    第１の傾斜面
２５    第２の傾斜面
２７    窪み部
Ｃ      周方向
Ｄ      径方向
【図１】
0006403496.tif 000002
【図２】
0006403496.tif 000003
【図３】
0006403496.tif 000004
【図４】
0006403496.tif 000005
【図５】
0006403496.tif 000006
【図６】
0006403496.tif 000007
【図７】
0006403496.tif 000008